(57)【要約】【課題】回収した硬貨を棒状硬貨と同様に扱うことができる硬貨収納装置を提供すること。【解決手段】棒状硬貨を収納する半円筒状の収納溝が形成された収納トレイを備えた硬貨収納装置において、収納溝８１２は、一対の側板を互いに接続し、一対の側板の間に同一種類の硬貨を積層した状態で保持する線条部材を設けた硬貨収納ケースの線条部材を受け入れる凹部８１２ａ，８１２ｃを有するので、一対の側板を相互に接続し、一対の側板の間に同一種類の硬貨を積層した状態で保持する線条部材を設けた硬貨収納ケースに硬貨を収納すれば、回収した硬貨を棒状硬貨と同様に扱うことができる。【選択図】図９
2014038559.tif 000002
【特許請求の範囲】
【請求項１】
棒状硬貨を収納する収納溝が形成された収納トレイを備えた硬貨収納装置において、
前記収納溝は、前記棒状硬貨と同種の硬貨を積層した状態で保持する硬貨収納ケースを前記棒状硬貨に換えて受け入れ可能な形態を有することを特徴とする硬貨収納装置。
【請求項２】
前記収納溝は、複数の硬貨収納ケースを収納可能であって、
収納する硬貨収納ケースに対応するように、硬貨収納ケースに収納した硬貨を検出するセンサを備えたことを特徴とする請求項１に記載の硬貨収納装置。
【請求項３】
前記収納溝は、その下方域に設けられ、受け入れる硬貨収納ケースに収納された硬貨の材質を区別するコイルと、前記収納溝を挿通することにより、前記硬貨の孔の有無と、外径の大小とを区別する光センサとを備えたことを特徴とする請求項２に記載の硬貨収納装置。
【請求項４】
硬貨収納装置の収納トレイに形成された収納溝に受け入れ可能な硬貨収納ケースであって、
対向する一対の側板と、前記側板間に同種の硬貨を所定枚数積層して保持するように、その積層硬貨の外周に沿って前記一対の側板を連結する複数の線条部材とを備え、前記線条部材は、可撓性を有して、相互に隣接する間隔がその積層硬貨の直径よりも狭く形成され、撓ませることによりその間隔を積層硬貨の直径より広げることが可能なことを特徴とする硬貨収納ケース。
【請求項５】
前記一対の側板の間にあらかじめ定めた枚数の硬貨を収納する間隔を有することを特徴とする請求項４に記載の硬貨収納ケース。
【請求項６】
前記線条部材を硬貨の周方向に沿って４箇所有することを特徴とする請求項４または５に記載の硬貨収納ケース。
【請求項７】
前記側板に、積層した硬貨の軸線上を通る光を通過させて当該硬貨の形状を判別する形態の開口部を有することを特徴とする請求項４〜６のいずれか一つに記載の硬貨収納ケース。
【請求項８】
前記側板において、その外周から中心部に向かう態様で、積層硬貨を露出させ、当該露出硬貨により検出センサを作動させることで、前記収納溝に硬貨を収納したか否かを検出するように形成された切欠部を有することを特徴とする請求項４〜７のいずれか一つに記載の硬貨収納ケース。
【請求項９】
前記収納溝は、請求項４〜８のいずれか一つに記載の硬貨収納ケースが備える少なくとも１箇所の線条部材を受け入れて、前記硬貨収納ケースを位置決めする凹部を有することを特徴とする請求項１に記載の硬貨収納装置。
【発明の詳細な説明】
【技術分野】
【０００１】
本発明は、硬貨収納装置および硬貨収納ケースに関するもので、特に、あらかじめ設定した枚数の硬貨を積層して包装した棒状硬貨を収納する硬貨収納装置および当該硬貨収納装置に収納可能な硬貨収納ケースに関する。
【背景技術】
【０００２】
昨今のスーパーマーケットやコンビニエンスストアでは、ＰＯＳ（Ｐｏｉｎｔ  Ｏｆ  Ｓａｌｅｓ）レジスタに釣銭機と称される貨幣処理装置が接続されているのが一般的である。貨幣処理装置は、たとえば、貨幣が投入された場合にこれを識別して収納する一方、ＰＯＳレジスタから出金指令が与えられた場合には該当する金額の貨幣を払い出すようにしたものである。
【０００３】
この種の貨幣処理装置の中には、硬貨収納装置を付設したものがある。硬貨収納装置は、あらかじめ設定した枚数の硬貨を積層して包装した棒状硬貨を収納するものであり、貨幣処理装置において出金する硬貨が足りなくなった場合には、硬貨収納装置から足りなくなった硬貨と同一種類の棒状硬貨が取り出され、貨幣処理装置に補充される。
【０００４】
硬貨収納装置は、装置本体と、装置本体に対して引き出し可能に配設された抽斗とを備えている。抽斗は、棒状硬貨を収納するためのもので、抽斗の上面には、棒状硬貨を収納する収納トレイが取り付けてある。収納トレイは、あらかじめ定めた種類の棒状硬貨をあらかじめ定めた位置に収納するためのもので、あらかじめ定めた種類の棒状硬貨を収納する収納溝があらかじめ定めた位置に設けてある。収納溝は、収納する棒状硬貨の外径と長さに合わせて形成してあり、収納溝の大きさは、収納する棒状硬貨の種類ごとに異なる。そして、あらかじめ定めた種類の棒状硬貨は、あらかじめ定めた位置に設けた収納溝に横倒し姿勢で収納される（たとえば、特許文献１参照）。
【先行技術文献】
【特許文献】
【０００５】
【特許文献１】特開２０１１−１８２３１号公報
【発明の概要】
【発明が解決しようとする課題】
【０００６】
ところで、上述した貨幣処理装置では、定期的に貨幣を回収し、貨幣処理装置に硬貨が満杯にならないように管理され、回収した硬貨を硬貨収納装置に収納することはなかった。これは、包装した棒状硬貨のみを硬貨収納装置に収納することによる。
【０００７】
しかしながら、回収した硬貨を一旦銀行に預け入れ、別途包装された棒状硬貨に両替するのでは、効率的な資金運用の妨げとなる。
【０００８】
本発明は、上記に鑑みてなされたものであって、回収した硬貨を棒状硬貨と同様に扱うことができる硬貨収納装置および硬貨収納ケースを提供することを目的とする。
【課題を解決するための手段】
【０００９】
上述した課題を解決し、目的を達成するために、本発明は、棒状硬貨を収納する収納溝が形成された収納トレイを備えた硬貨収納装置において、前記収納溝は、前記棒状硬貨と同種の硬貨を積層した状態で保持する硬貨収納ケースを前記棒状硬貨に換えて受け入れ可能な形態を有することを特徴とする。
【００１０】
また、本発明は、上記発明において、前記収納溝は、複数の硬貨収納ケースを収納可能であって、収納する硬貨収納ケースに対応するように、硬貨収納ケースに収納した硬貨を検出するセンサを備えたことを特徴とする。
【００１１】
また、本発明は、前記収納溝は、その下方域に設けられ、受け入れる硬貨収納ケースに収納された硬貨の材質を区別するコイルと、前記収納溝を挿通することにより、前記硬貨の孔の有無と、外径の大小とを区別する光センサを備えたことを特徴とする。
【００１２】
また、本発明は、硬貨収納装置の収納トレイに形成された収納溝に受け入れ可能な硬貨収納ケースであって、対向する一対の側板と、前記側板間に同種の硬貨を所定枚数積層して保持するように、その積層硬貨の外周に沿って前記一対の側板を連結する複数の線条部材とを備え、前記線条部材は、可撓性を有して、相互に隣接する間隔がその積層硬貨の直径よりも狭く形成され、撓ませることによりその間隔を積層硬貨の直径より広げることが可能なことを特徴とする。
【００１３】
また、本発明は、上記発明において、前記一対の側板の間にあらかじめ定めた枚数の硬貨を収納する間隔を有することを特徴とする。
【００１４】
また、本発明は、上記発明において、前記線条部材を硬貨の周方向に沿って４箇所有することを特徴とする。
【００１５】
また、本発明は、上記発明において、前記側板に、積層した硬貨の軸線上を通る光を通過させて当該硬貨の形状を判別する形態の開口部を有することを特徴とする。
【００１６】
また、本発明は、上記発明において、前記側板において、その外周から中心部に向かう態様で、積層硬貨を露出させ、当該露出硬貨により検出センサを作動させることで、前記収納溝に収納したか否かを検出するように形成された切欠部を有することを特徴とする。
【００１７】
また、本発明は、前記硬貨収納装置の収納トレイに形成された収納溝は、前記硬貨収納ケースが備える少なくとも１箇所の線条部材を受け入れて、前記硬貨収納ケースを位置決めする凹部を有することを特徴とする。
【発明の効果】
【００１８】
本発明にかかる硬貨収納装置は、収納溝が、棒状硬貨と同種の硬貨を積層した状態で保持する硬貨収納ケースを棒状硬貨に換えて受け入れ可能な形態を有するので、硬貨収納ケースに硬貨を収納すれば、回収した硬貨を棒状硬貨と同様に扱うことができる。これにより、効率的な資金運用が可能となる。
【００１９】
本発明にかかる硬貨収納ケースは、対向する一対の側板と、側板間に同種の硬貨を所定枚数積層して保持するように、その積層硬貨の外周に沿って一対の側板を連結する複数の線条部材とを備え、線条部材は、可撓性を有して、相互に隣接する間隔がその積層硬貨の直径よりも狭く形成され、撓ませることによりその間隔を積層硬貨の直径より広げることが可能なので、回収した硬貨を収納すれば、回収した硬貨を棒状硬貨と同様に扱うことができる。これにより、効率的な資金運用が可能となる。
【図面の簡単な説明】
【００２０】
【図１】図１は、レジシステムを構成するＰＯＳレジスタ、貨幣処理装置、硬貨収納装置との関係を示すブロック図である。
【図２】図２は、本発明の実施の形態１である硬貨収納ケースを示す斜視図である。
【図３】図３は、図２に示した硬貨収納ケースのＡ−Ａ断面図であって、硬貨の収納途中の状態を示す図である。
【図４】図４は、図２に示した硬貨収納ケースのＡ−Ａ断面図であって、硬貨を収納した状態を示す図である。
【図５】図５は、図２に示した硬貨収納ケースに硬貨を収納した状態を示す図である。
【図６】図６は、本発明の実施の形態である硬貨収納装置を示す斜視図である。
【図７】図７は、図６に示した硬貨収納装置において、装置本体から抽斗を引き出した状態を示す斜視図である。
【図８】図８は、図７に示した抽斗の収納トレイを示す斜視図である。
【図９】図９は、図８に示した収納トレイの収納溝を示す斜視図である。
【図１０】図１０は、図８に示した収納トレイの収納溝を示す平面図である。
【図１１】図１１は、図９に示した収納溝に棒状硬貨を収納した状態を示す図である。
【図１２】図１２は、図９に示した収納溝に硬貨収納ケースを収納した状態を示す図である。
【図１３】図１３は、収納溝に収納した硬貨を検出するセンサの構成を示す斜視図である。
【図１４】図１４は、本発明の実施の形態２である硬貨収納ケースを示す斜視図である。
【図１５】図１５は、図１４に示した硬貨収納ケースに硬貨を収納し、図９に示した収納溝に収納した状態を示す図である。
【図１６】図１６は、本発明の実施の形態３である硬貨収納ケースを示す斜視図である。
【図１７】図１７は、図１６に示した硬貨収納ケースに硬貨を収納し、図９に示した収納溝に収納した状態を示す図である。
【発明を実施するための形態】
【００２１】
以下に、本発明にかかる硬貨収納装置および硬貨収納ケースの実施の形態を図面に基づいて詳細に説明する。なお、この実施の形態によりこの発明が限定されるものではない。
【００２２】
まず、図１に基づいて、本発明の実施の形態である硬貨収納装置とともに構成されるレジシステムについて説明する。なお、図１は、レジシステムを構成するＰＯＳレジスタ、貨幣処理装置、硬貨収納装置との関係を示すブロック図である。
【００２３】
図１に示すように、スーパーマーケットやコンビニエンスストアなどの店舗に設置するレジシステム１は、ＰＯＳレジスタ２、貨幣処理装置３、本発明の実施の形態である硬貨収納装置４を備えている。
【００２４】
ＰＯＳレジスタ２は、レジ担当者の操作により商品のコードを読み取り、商品のコード、数量を登録する一方、商品のコードから商品のアイテム、商品の金額を呼び出し、商品の合計金額（請求金額）と顧客から受け取ったお金との差額（釣銭額）とを算出するものであり、ＰＯＳレジスタ２に付随する金額表示器（図示せず）に算出した請求金額を表示するとともに、釣銭額を表示する。これにより、顧客は請求金額と釣銭額とを知ることができる。そして、ＰＯＳレジスタ２は、貨幣処理装置３を構成する釣銭機３１に釣銭額（出金額）を通知する。
【００２５】
ＰＯＳレジスタ２には、貨幣処理装置３を構成する釣銭機３１が接続してあり、釣銭機３１には、釣銭機３１とともに貨幣処理装置３を構成する釣札機３２が接続してある。貨幣処理装置３は、レジ担当者が投入した貨幣（硬貨および紙幣）を受け入れる一方、釣銭となる貨幣を払い出すもので、釣銭機３１において、受け入れた貨幣の金額（入金額）、払い出された貨幣の金額（出金額）、在高を管理する。そして、釣銭機３１は、釣銭機３１または釣札機３２が貨幣を受け入れた場合にその入金額をＰＯＳレジスタ２に通知する一方、ＰＯＳレジスタ２から通知された出金額を受信し、釣銭機３１または釣札機３２から出金額に相当する貨幣を払い出す。これにより、レジ担当者は、貨幣を数えることなく、釣銭を出金できる。
【００２６】
釣銭機３１には、本発明の実施の形態である硬貨収納装置４が接続してある。硬貨収納装置４は、釣銭機３１に補充する硬貨を準備金として収納するものであり、収納してある棒状硬貨の種類、数量を釣銭機３１に通知する。これにより、釣銭機３１は、硬貨収納装置４の在高が管理可能となる。ここで、棒状硬貨とは、同一種類の硬貨をあらかじめ設定した枚数だけ積層して包装し、一つの取扱単位として構成したものである。本実施の形態では、１円硬貨、５円硬貨、１０円硬貨、５０円硬貨、１００円硬貨、５００円硬貨をそれぞれ所定の枚数ずつ包装した棒状硬貨を収納対象とする。
【００２７】
上述したレジシステム１を用いて商品の代金を精算する場合には、まず、レジ担当者がＰＯＳレジスタ２を操作し、商品のコード、数量を入力することにより、ＰＯＳレジスタ２に商品のコード、数量を登録する。商品のコード、数量がＰＯＳレジスタ２に登録されると、ＰＯＳレジスタ２は、商品のコードから商品のアイテム、商品の金額を呼び出し商品の合計金額（請求金額）を算出し、ＰＯＳレジスタ２に付随する金額表示器に請求金額を表示する。これにより、顧客は請求金額を認識し、請求金額以上のお金（預かり金）をレジ担当者に支払うことになる。
【００２８】
レジ担当者は、顧客が支払ったお金を確認して受け取り、それを貨幣処理装置３に投入する。貨幣処理装置３は、レジ担当者が投入したお金（貨幣）を受け入れ、受け入れた金額（入金額）を釣銭機３１からＰＯＳレジスタ２に通知する。ＰＯＳレジスタ２は、釣銭機３１から通知された金額を預かり金として金額表示器に表示する。そして、レジ担当者がお金の投入完了をＰＯＳレジスタ２に入力すると、ＰＯＳレジスタ２は、預かり金と請求金額の差額を算出し、釣銭額として金額表示器に表示するとともに、その差額を出金額として釣銭機３１に通知し、ＰＯＳレジスタ２に付随するプリンタ（図示せず）からレシートを出力する。
【００２９】
ＰＯＳレジスタ２から釣銭機３１に出金額が通知されると、釣銭機３１は、釣札機３２と釣銭機３１とから出金額に相当する金額の貨幣を払い出す。レジ担当者は、プリンタから出力されたレシートとともにこの貨幣をお釣りとして顧客に受け渡し、代金の精算を終了する。
【００３０】
上述したレジシステム１において、釣銭機３１の硬貨が足りなくなると、釣銭機３１からＰＯＳレジスタ２に硬貨の補充が必要である旨を通知する。釣銭機３１からＰＯＳレジスタ２に硬貨の補充が必要である旨が通知されると、ＰＯＳレジスタ２は、その旨をＰＯＳレジスタ２に付随する表示部（図示せず）に表示する。この表示を見てレジ担当者がＰＯＳレジスタ２に付随する操作部（図示せず）から補充操作を入力すると、ＰＯＳレジスタ２から釣銭機３１に補充指令を通知する。ＰＯＳレジスタ２から補充指令が通知された釣銭機３１は、棒状硬貨の補充を許可し、硬貨収納装置４から棒状硬貨の取り出しを可能にする。これにより、レジ担当者は硬貨収納装置４から棒状硬貨を取り出して、釣銭機に硬貨を補充することになる。釣銭機３１への硬貨の補充が終了すると、釣銭機３１はＰＯＳレジスタ２に硬貨の補充を終了した旨を通知する。釣銭機３１から硬貨の補充が終了した旨が通知されると、ＰＯＳレジスタ２は、商品の代金の精算が可能な状態に復帰する。
【００３１】
［実施の形態１］
つぎに、図２〜図５に基づいて、本発明の実施の形態１である硬貨収納ケースについて説明する。なお、図２は、本発明の実施の形態１である硬貨収納ケースを示す斜視図である。また、図３および図４は、図２に示した硬貨収納ケースのＡ−Ａ断面図であって、図３は、硬貨の収納途中の状態を示す図であり、図４は、硬貨を収納した状態を示す図である。また、図５は、図２に示した硬貨収納ケースに硬貨を収納した状態を示す図である。
【００３２】
図５に示すように、本発明の実施の形態１である硬貨収納ケース５は、同一種類の硬貨Ｃをあらかじめ定めた枚数で取りまとめることにより、棒状硬貨Ｐ（図１１参照）と同様に取り扱うことができるようにしたもので、取りまとめを必要とする金種、取りまとめる枚数ごとに設けられる。
【００３３】
図２に示すように、硬貨収納ケース５は、取りまとめた硬貨Ｃ、すなわち、同一種類のあらかじめ定めた枚数の硬貨Ｃ、を積層した状態で収納するもので、一対の側板５１，５２と、一対の側板５１，５２を互いに接続する少なくとも三つの線条部材５３〜５６とを有している。
【００３４】
一対の側板５１，５２は、取りまとめた硬貨Ｃを収納するのに必要かつ十分な間隔を有しており、取りまとめた硬貨Ｃを積層した状態で収納可能である。これにより、取りまとめた枚数（たとえば、２０枚）の硬貨Ｃが確実に収納でき、かつ、取りまとめ枚数を超える枚数（たとえば、２１枚）の硬貨Ｃが収納されることはない。なお、取りまとめる金種ごとに硬貨Ｃの厚みが異なるので、取りまとめた硬貨Ｃを収納するのに必要かつ十分な間隔も、取りまとめる金種ごとに異なる。
【００３５】
図３に示すように、側板５１，５２は、収納する硬貨Ｃの直径の略３分の２の高さを有しており、その外周形状は、収納する硬貨Ｃに重なる。これにより、図４に示すように、硬貨Ｃを収納した硬貨収納ケース５の外径（側板の外径）が線条部材５３〜５６を除いて棒状硬貨Ｐの直径と同じになる。
【００３６】
図３および図４に示すように、線条部材５３〜５６は、上述したように、一対の側板５１，５２を互いに接続するとともに、一対の側板５１，５２の間に収納した硬貨Ｃを積層保持するためのもので、収納した硬貨Ｃの外周に沿う位置に設けてある。これら線条部材５３〜５６のうち、図３に示すように、一対の線条部材５３，５４の間隔は、収納する硬貨Ｃの外径よりも狭く設定してある。
【００３７】
２０枚の５００円硬貨Ｃを取りまとめる硬貨収納ケース５を例に具体的に説明する。なお、２０枚の５００円硬貨Ｃを取りまとめるのは、合計金額が１万円となるので、在高の管理等に都合が良く、また、準備金としても過度な負担とならず、適当であることによる。
【００３８】
図５に示すように、２０枚の５００円硬貨Ｃを取りまとめる硬貨収納ケース５は、２０枚の５００円硬貨Ｃを積層した状態で収納するもので、一対の側板５１，５２と、一対の側板５１，５２を互いに接続する四つの線条部材５３〜５６とを有している。
【００３９】
図２に示すように、一対の側板５１は、２０枚の５００円硬貨Ｃを収納するのに必要かつ十分な間隔を有しており、図５に示すように、２０枚の５００円硬貨Ｃを積層した状態で収納可能であり、２１枚目の５００円硬貨Ｃが収納されることはない。
【００４０】
図３に示すように、側板５１，５２は、５００円硬貨Ｃの直径の略３分の２の高さを有しており、その外周形状は、５００円硬貨Ｃに重なる。これにより、図４に示したように、５００円硬貨Ｃを収納した硬貨収納ケースの外径（側板の外径）が線条部材５３〜５６を除いて５００円の棒状硬貨Ｐの直径と同じになる。
【００４１】
図２に示すように、側板５１，５２には、Ｖ字状の開口部５１ａ，５２ａとＩ字状の切欠部５１ｂ（図３参照），５２ｂとが設けてある。Ｖ字状の開口部５１ａは、硬貨Ｃを識別するための光を通過させるためのもので、硬貨収納ケース５に収納した硬貨Ｃの軸線上を通る光を通過させるように設けてある。Ｉ字状の切欠部５１ｂ，５２ｂは、硬貨Ｃが収納されているか否かを検出するための検出片９４ａ（図１３参照）を通過させるためのもので、検出片９４ａが通過するように、外周から中心に向けて硬貨Ｃが露出するように設けてある。
【００４２】
図３および図４に示すように、線条部材５３〜５６は、一対の側板５１，５２を互いに接続するとともに、一対の側板５１，５２の間に収納した硬貨Ｃを保持するためのもので、２０枚の５００円硬貨Ｃを収納する硬貨収納ケース５は、左右で対となる上下二組（計四つ）の線条部材５３〜５６を収納した硬貨Ｃの外周に沿う位置に設けてある。これら線条部材５３〜５６のうち、上側となる一対の線条部材５３，５４は、硬貨収納ケース５を収納溝（図１２参照）に収納する際に収納溝の周縁に支持されるフランジ（鍔）となる部分で、その間隔は、図３に示すように、５００円硬貨Ｃの外径よりもわずかに狭く設定してあり、収納する５００円硬貨Ｃが残りわずかになった場合には、上側となる線条部材５３，５４を撓ませてその間隔を拡げ硬貨Ｃを収納する。
【００４３】
上述した本発明の実施の形態１である硬貨収納ケース５は、同一種類の硬貨Ｃをあらかじめ定めた枚数を取りまとめて収納すれば、棒状硬貨Ｐと同様に扱うことができる。
【００４４】
つぎに、図６および図７に基づいて、本発明の実施の形態である硬貨収納装置について説明する。なお、図６は、本発明の実施の形態である硬貨収納装置を示す斜視図である。図７は、図６に示した硬貨収納装置において、装置本体から抽斗を引き出した状態を示す斜視図である。
【００４５】
図６および図７に示すように、本発明の実施の形態である硬貨収納装置４は、装置本体６と、装置本体６の前面から手前側に引き出し可能に配設された抽斗７と、を備えている。
【００４６】
装置本体６は、前面が開口した直方体形状を成すものである。この装置本体６には、その内部に左右対となる本体側ガイド部材（図示せず）が設けてある。本体側ガイド部材は、それぞれ装置本体６の側壁内面に取り付けてある。
【００４７】
図７に示すように、抽斗７は、装置本体６に設けた左右対となる本体ガイド部材の間に挿入可能となる大きさに構成した箱体であり、上面全面が開口した直方体形状を成している。この抽斗７には、両側壁の外面にそれぞれ抽斗側ガイド部材７１が設けてある。抽斗側ガイド部材７１は、抽斗７の外面から側方に向けて突出したものである。それぞれの抽斗側ガイド部材７１は、装置本体６に設けた本体側ガイド部材に摺動自在に当接することにより、抽斗７を装置本体６の前面に設けた開口から引き出し可能に支持する。
【００４８】
図７に示すように、抽斗７の内部には、収納トレイ８が取り付けてある。収納トレイ８は、あらかじめ定めた種類の棒状硬貨Ｐをあらかじめ定めた位置に収納するためのもので、図７に示す例では、棒状硬貨Ｐを収納する複数の収納溝８１、紙幣や商品券などの紙葉類を収納する紙葉類収納庫８２、棒状硬貨Ｐをばらしたバラ硬貨等を収納するバラ硬貨収納庫８３が設けてある。
【００４９】
図８は、図７に示した抽斗の収納トレイを示す斜視図である。図８に示すように、後述する１系硬貨を収納する１系硬貨収納溝８１１を硬貨の種別ごとに５本ずつ、計１５本設けてあり、同様に後述する５系硬貨を収納する５系硬貨収納溝８１２を硬貨の種別ごとに１本ずつ設けてある。これにより、図８に示す収納トレイ８では、１８本の収納溝８１にそれぞれ棒状硬貨Ｐが収納可能である。
【００５０】
ここで、１系硬貨とは、使用頻度が高い硬貨、すなわち、１円、１０円、１００円硬貨であり、５系硬貨とは、１系硬貨よりも使用頻度が低く、１系硬貨で代替が可能な硬貨、すなわち、５円、５０円、５００円硬貨Ｃである。
【００５１】
収納溝８１は、棒状硬貨Ｐを横倒し姿勢で収納するための半円筒状の凹溝であり、軸心が抽斗７の前後方向に沿う態様で形成してある。収納溝８１は、収納する棒状硬貨Ｐの外径と長さに合わせて形成してあり、その内径は収納する棒状硬貨Ｐの外径と略同一であり、その長さは、収納する棒状硬貨Ｐの長さよりもわずかに長い。
【００５２】
ここでは、図９〜図１２に基づいて、５００円硬貨を収納する収納溝を例に具体的に説明する。なお、図９は、図８に示した収納トレイの収納溝を示す斜視図であり、図１０は、図８に示した収納トレイの収納溝を示す平面図である。また、図１１は、図９に示した収納溝に棒状硬貨を収納した状態を示す斜視図であり、図１２は、図９に示した収納溝に硬貨収納ケースを収納した状態を示す斜視図である。
【００５３】
図１１に示すように、５００円硬貨Ｃを収納する収納溝８１２は、あらかじめ定めた枚数の５００円硬貨Ｃを積層して包装した棒状硬貨Ｐを収納するためのもので、ここでは、５０枚の５００円硬貨Ｃを積層して包装した棒状硬貨Ｐを収納するものとする。これにより、収納溝８１２は、５０枚の５００円硬貨Ｃを積層して包装した棒状硬貨Ｐの外径と長さに合わせて形成してあり、その内径は５００円硬貨Ｃの外径と略同一であり、その長さは、５００円硬貨Ｃを５０枚積層した高さよりもわずかに長い。したがって、図１２に示すように、収納溝８１２は、上述した２０枚の５００円硬貨Ｃを積層する硬貨収納ケース５を二つ収納することができる。
【００５４】
図９および図１０に示すように、収納溝８１２には、凹部８１２ａ〜８１２ｄが設けてある。凹部８１２ａ〜８１２ｄは、硬貨収納ケース５の線条部材５５，５６を受け入れるためのもので、収納溝８１２の手前側と奥側とに形成してある。これにより、一つの硬貨収納ケース５を収納溝８１２に収納した場合には、収納溝８１２の手前側あるいは奥側に位置決めされ、収納溝８１２の中程に位置決めされることはない。また、図１２に示すように、二つの硬貨収納ケース５を収納溝８１２に収納した場合には、収納溝８１２の手前側と奥側とに位置決めされる。
【００５５】
なお、凹部８１２ａ〜８１２ｄは、硬貨収納ケース５の線条部材５５，５６を受け入れるものであれば、図９および図１０に示すように、収納トレイ８を貫通した溝であってもよい。
【００５６】
図１３は、収納溝に収納した硬貨を検出するセンサの構成を示す斜視図である。図１３に示すように、抽斗７には、収納溝８１ごとに、収納溝８１に棒状硬貨Ｐ（図１１参照）が収納された場合に棒状硬貨Ｐによって出力が変動する出力手段９が設けてある。出力手段９は、収納溝８１の下方域に設けたコイル９１と、収納溝８１に挿通する光を検出する光センサ９２，９３とを備える。
【００５７】
コイル９１は、収納溝８１に棒状硬貨Ｐが収納された場合に磁気インピーダンスが変動する磁気コイルで、収納溝８１の延在方向中程となる位置に配設してある。これにより、コイル９１は、硬貨の材質（白銅系の硬貨（５０円硬貨、１００円硬貨、５００円硬貨）であるか、白銅系以外の硬貨（１円硬貨、５円硬貨、１０円硬貨）であるか）を区別できる。
【００５８】
光センサ９２，９３は、収納溝８１に棒状硬貨Ｐが収納された場合に受光する光量が変動するもので、収納溝８１に挿通する光を透光する投光素子９２ａ，９３ａと、投光素子９２ａ，９３ａと対向し投光素子９２ａ，９３ａから投光された光を受光する受光素子９２ｂ，９３ｂとを備えている。投光素子９２ａ，９３ａは、収納溝８１の一端に配設してあり、受光素子９２ｂ，９３ｂは、収納溝８１の他端に配設してある。
【００５９】
より具体的には、孔あき硬貨であるか否かで区別する必要がある硬貨（たとえば、５円硬貨と１０円硬貨、５０円硬貨と１００円硬貨）を収納する収納溝８１には、投光素子９２ａから投光された光が孔あき硬貨の孔を通り受光素子９２ｂに到達するように、投光素子９２ａと受光素子９２ｂとが配設してある。これにより、光センサ９２は、コイル９１で区別しにくい材質の硬貨（５円硬貨と１０円硬貨、５０円硬貨と１００円硬貨）を孔の有無で区別することが可能である。なお、収納溝８１に硬貨収納ケース５を収納した場合でも、硬貨収納ケース５にＶ字状の開口部５１ａ，５２ａが形成してあるので、投光素子９２ａから投光された光は、硬貨収納ケース５で遮断されることはない。これにより、硬貨収納ケース５に収納した硬貨でも孔の有無を区別することができる。
【００６０】
また、外径で区別する必要がある硬貨（たとえば、１００円硬貨と５００円硬貨）を収納する収納溝８１には、投光素子９３ａから投光された光が小径の硬貨（１００円硬貨）の肩上を通り受光素子９３ｂに到達する一方、投光素子９３ａから投光された光が大径の硬貨（５００円硬貨Ｃ）で遮断されるように、投光素子９３ａと受光素子９３ｂとが配設してある。これにより、コイル９１で区別しにくい材質の硬貨を硬貨の外径で区別することが可能である。なお、収納溝８１に硬貨収納ケース５を収納した場合でも、上３分の１が露出するので、硬貨収納ケース５に収納した硬貨でも外径で区別することができる。
【００６１】
また、収納溝８１の手前側となる位置には、収納溝８１に棒状硬貨Ｐを収納したか否かを検出するセンサ９４が設置してある。センサ９４は、検出片９４ａの移動を検出するリミットスイッチで構成してあり、収納溝８１に棒状硬貨Ｐを収納した場合には、棒状硬貨Ｐによって検出片９４ａが収納溝８１から沈み、スイッチをオンにする。なお、硬貨収納ケース５にＩ字状の切欠部５１ｂ，５２ｂが形成してあるので、収納溝８１に空の硬貨収納ケース５を収納してもスイッチがオンになることはなく、硬貨収納ケース５に収納した硬貨Ｃを検出できる。
【００６２】
上述した本発明の実施の形態である硬貨収納装置４は、収納溝８１が、一対の側板５１，５２を互いに接続し、一対の側板５１，５２の間に同一種類の硬貨Ｃを積層した状態で保持する線条部材５３〜５６を設けた硬貨収納ケース５の線条部材５５，５６を受け入れる凹部８１２ａ〜８１２ｄを有するので、一対の側板５１，５２の間に同一種類の硬貨Ｃを積層した状態で保持する線条部材５３〜５６を設けた硬貨収納ケース５に硬貨Ｃを収納すれば、回収した硬貨を棒状硬貨Ｐと同様に扱うことができる。これにより、効率的な資金運用が可能となる。
【００６３】
［実施の形態２］
つぎに、図１４および図１５に基づいて、本発明の実施の形態２である硬貨収納ケースについて説明する。なお、図１４は、本発明の実施の形態２である硬貨収納ケースを示す斜視図であり、図１５は、図１４に示した硬貨収納ケースに硬貨を収納し、図９に示した収納溝に収納した状態を示す図である。
【００６４】
本発明の実施の形態２である硬貨収納ケース１０５は、棒状硬貨Ｐと同じ枚数の硬貨Ｃを取りまとめるもので、一対の側板１５１，１５２は、棒状硬貨Ｐと同じ枚数（たとえば、５０枚）の硬貨Ｃを収納するのに必要かつ十分な間隔を有しており、図１５に示すように、棒状硬貨Ｐと同じ枚数の硬貨Ｃを積層した状態で収納可能である。
【００６５】
硬貨収納ケース１０５は、上述した実施の形態１である硬貨収納ケース５と同様、一対の側板と一対の側板を相互に接続する少なくとも三つの線条部材で構成するものとしてもよいが、ここでは、一対の側板１５１，１５２と、一対の側板１５１，１５２を相互に接続する二つの線条部材１５３，１５４と、半円筒状のシート１５７とで構成する。
【００６６】
ここで、一対の側板１５１，１５２、二つの線条部材１５３，１５４は、上述した実施の形態１である硬貨収納ケース５と同様のものである。シート１５７は、上述した線条部材５５，５６の代わりとなるもので、一対の側板の間に収納した硬貨Ｃを保持する。シート１５７は、棒状硬貨Ｐの包装材（具体的には、プラスチックフィルム）とほぼ同じ厚みを有しており、収納溝８１の内周面に干渉することなく、硬貨収納ケース１０５を収納溝８１に収納可能である。
【００６７】
［実施の形態３］
つぎに、図１６および図１７に基づいて、本発明の実施の形態３である硬貨収納ケースについて説明する。なお、図１６は、本発明の実施の形態３である硬貨収納ケースを示す斜視図であり、図１７は、図１６に示した硬貨収納ケースに硬貨を収納し、収納溝に収納した状態を示す図である。
【００６８】
本実施の形態３である硬貨収納ケース２０５は、二つの収納領域を設けたもので、それぞれ、所定の枚数（たとえば、２０枚）の硬貨Ｃを収納するのに十分な領域を有している。
【００６９】
硬貨収納ケース２０５は、上述した実施の形態２である硬貨収納ケース１０５と同様、一対の側板２５１，２５２と、一対の側板１５１，１５２を相互に接続する線条部材２５３，２５４と、半円筒状のシート２５７のほか、中央に仕切部２５８を有している。
【符号の説明】
【００７０】
１    レジシステム
２    ＰＯＳレジスタ
３    貨幣処理装置
３１    釣銭機
３２    釣札機
４    硬貨収納装置
５    硬貨収納ケース
５１，５２    側板
５１ａ，５２ａ    開口部
５１ｂ，５２ｂ    切欠部
５３，５４    線条部材
５５，５６    線条部材
６  装置本体
７    抽斗
８    収納トレイ
８１    収納溝
８１１    １系硬貨収納溝
８１２    ５系硬貨収納溝
８１２ａ    凹部（溝）
８２    紙葉類収納庫
８３    バラ硬貨収納庫
９    出力手段
９１    コイル
９２，９３    光センサ
９２ａ，９３ａ    投光素子
９２ｂ，９３ｂ    受光素子
９４    センサ
９４ａ    検出片
１０５    硬貨収納ケース
１５１，１５２    側板
１５３，１５４    線条部材
１５７    シート
２０５    硬貨収納ケース
２５１，２５２    側板
２５３，２５４    線条部材
２５７    シート
２５８    仕切部
Ｃ    硬貨
Ｐ    棒状硬貨
【図１】
2014038559.tif 000003
【図２】
2014038559.tif 000004
【図３】
2014038559.tif 000005
【図４】
2014038559.tif 000006
【図５】
2014038559.tif 000007
【図６】
2014038559.tif 000008
【図７】
2014038559.tif 000009
【図８】
2014038559.tif 000010
【図９】
2014038559.tif 000011
【図１０】
2014038559.tif 000012
【図１１】
2014038559.tif 000013
【図１２】
2014038559.tif 000014
【図１３】
2014038559.tif 000015
【図１４】
2014038559.tif 000016
【図１５】
2014038559.tif 000017
【図１６】
2014038559.tif 000018
【図１７】
2014038559.tif 000019